(57)【要約】【課題】本発明の目的は、芳香剤組成物において、（Ａ）窒素原子を有するアントラキノン系色素成分と（Ｂ）ヘテロ原子が単結合したベンジル位を有する香料成分とが共存する場合に生じる光暴露による色素の退色を抑制する技術を提供することである。【解決手段】芳香剤組成物において、（Ａ）窒素原子を有するアントラキノン系色素成分１モル当たり、（Ｂ）ヘテロ原子が単結合したベンジル位を有する香料成分を１〜６００モルの比率を充足させることにより、色素の退色を効果的に抑制できる。【選択図】なし【特許請求の範囲】
【請求項１】
（Ａ）窒素原子を有するアントラキノン系色素成分、及び（Ｂ）ヘテロ原子が単結合したベンジル位を有する香料成分を含有し、
前記（Ａ）成分１モル当たり、前記（Ｂ）成分が１〜６００モル含まれることを特徴とする、芳香剤組成物。
【請求項２】
前記（Ａ）成分が、窒素原子を１つ又は２つ有する、請求項１に記載の芳香剤組成物。
【請求項３】
前記（Ａ）成分において、窒素原子が１級アミン又は２級アミンの形態で存在する、請求項１又は２に記載の芳香剤組成物。
【請求項４】
前記（Ｂ）成分が、下記一般式（ＡＯ）に示す化合物である、請求項１〜３のいずれかに記載の芳香剤組成物。
【化１】
2018108192.tif 000033
【請求項５】
前記（Ａ）成分が、下記一般式（Ａ１）に示す化合物である、請求項１〜４のいずれかに記載の芳香剤組成物。
【化２】
2018108192.tif 000034
【請求項６】
前記一般式（Ａ１）において、Ｒａ1及び／又はＲａ4が、アミノ基、Ｃ１〜４アルキルフェニルアミノ基、Ｃ１〜４アルコキシフェニルアミノ基、フェニルアミノ基、又はＣ１〜４アルキルアミノ基である、請求項５に記載の芳香剤組成物。
【請求項７】
更に、ベンジルアセテート、リナロール、リナリルアセテート、リリアール、ガラクソリド、エチレンブラシレート、サイクロペンタデカノライド、サイクロペンタデセノライド、及び５―シクロヘキサデセン−１−オンよりなる群から選択される少なくとも１種の香料成分を含む、請求項１〜６のいずれかに記載の芳香剤組成物。
【請求項８】
更に、１価アルコール、多価アルコール、イソパラフィン、及びグリコールエーテルよりなる群から選択される少なくとも１種の有機溶剤を含む、請求項１〜７のいずれかに記載の芳香剤組成物。
【発明の詳細な説明】
【技術分野】
【０００１】
本発明は、光暴露による色素の退色が抑制されている芳香剤組成物に関する。
【背景技術】
【０００２】
室内等に香気を分散させて快適な空間を生み出すため、香料を配合した芳香剤組成物が広く使用されている。また、芳香剤組成物には様々な色素を添加して鮮やかな色調を付与し、消費者の嗜好性を満たす工夫がなされている。
【０００３】
通常、芳香剤組成物は、その色調や使用中の残量を確認できるように、透明部を有する容器に充填して使用されている。しかしながら、このような容器に充填され、使用されると、日光の照射等の光暴露により経時的に芳香剤組成物中の色素が退色して使用開始時の良好な外観が維持されないという問題があった。芳香剤組成物中の色素の退色を目立たなくするには、色素を多量に配合したり、遮光容器に充填することによって対処できるが、このような手法では、付与すべき色調が制限されたり、芳香剤の色調を視認できなくなったりするという欠点がある。
【０００４】
そこで、従来、芳香剤組成物において、光暴露による色素の退色を抑制するため、酸化防止剤や紫外線吸収剤を添加することが検討されている。例えば、特許文献１には、液体芳香剤組成物に色素とトリアジン骨格を有する紫外線吸収剤を配合することによって、光暴露による色素の退色を抑制できることが開示されている。
【０００５】
特許文献１では、芳香剤組成物中の色素の退色抑制に有効な手法を開示しているものの、紫外線吸収剤を添加せずとも、芳香剤組成物において光暴露による色素の退色を抑制する技術については検討されていない。また、芳香剤組成物において光暴露による色素の退色を抑制する技術の開発には、色素の退色要因を究明することが重要になるが、従来技術では、色素の退色要因については十分に解明されていないのが現状である。
【先行技術文献】
【特許文献】
【０００６】
【特許文献１】特開２０１４−１２０５２号公報
【発明の概要】
【発明が解決しようとする課題】
【０００７】
本発明者は、芳香剤組成物中の色素の退色要因を解明すべく鋭意検討を行ったところ、光暴露による色素の退色は、香料成分と色素成分の特定の組み合わせを採用した場合に特異的に生じることを見出した。より具体的には、本発明者は、（Ａ）窒素原子を有するアントラキノン系色素成分と、（Ｂ）ヘテロ原子が単結合したベンジル位を有する香料成分とが所定の比率で共存する場合に、光暴露によって当該色素成分の退色が生じることを見出した。
【０００８】
そこで、本発明の目的は、芳香剤組成物において、（Ａ）窒素原子を有するアントラキノン系色素成分と（Ｂ）ヘテロ原子が単結合したベンジル位を有する香料成分が共存する場合に生じる光暴露による色素の退色を抑制する技術を提供することである。
【課題を解決するための手段】
【０００９】
本発明者は、前記課題を解決すべく鋭意検討を行ったところ、芳香剤組成物において、（Ａ）窒素原子を有するアントラキノン系色素成分１モル当たり、（Ｂ）ヘテロ原子が単結合したベンジル位を有する香料成分を１〜６００モルの比率を充足させることにより、光暴露による色素の退色を効果的に抑制できることを見出した。本発明は、かかる知見に基づいてさらに検討を重ねることにより完成したものである。
【００１０】
即ち、本発明は、下記に掲げる態様の発明を提供する。
項１．（Ａ）窒素原子を有するアントラキノン系色素成分、及び（Ｂ）ヘテロ原子が単結合したベンジル位を有する香料成分を含有し、前記（Ａ）成分１モル当たり、前記（Ｂ）成分が１〜６００モル含まれることを特徴とする、芳香剤組成物。
項２．前記（Ａ）成分が、窒素原子を１つ又は２つ有する、項１に記載の芳香剤組成物。
項３．前記（Ａ）成分において、窒素原子が１級アミン又は２級アミンの形態で存在する、項１又は２に記載の芳香剤組成物。
項４．前記（Ｂ）成分が、下記一般式（ＡＯ）に示す化合物である、項１〜３のいずれかに記載の芳香剤組成物。
【００１１】
【化１】
2018108192.tif 000002
項５．前記（Ａ）成分が、下記一般式（Ａ１）に示す化合物である、項１〜４のいずれかに記載の芳香剤組成物。
【００１２】
【化２】
2018108192.tif 000003
項６．前記一般式（Ａ１）において、Ｒa1及び／又はＲa4が、アミノ基、Ｃ1〜4アルキルフェニルアミノ基、Ｃ1〜4アルコキシフェニルアミノ基、フェニルアミノ基、又はＣ1〜4アルキルアミノ基である、項５に記載の芳香剤組成物。
項７．更に、ベンジルアセテート、リナロール、リナリルアセテート、リリアール、ガラクソリド、エチレンブラシレート、サイクロペンタデカノライド、サイクロペンタデセノライド、及び５−シクロヘキサデセン−１−オンよりなる群から選択される少なくとも１種の香料成分を含む、項１〜６のいずれかに記載の芳香剤組成物。
項８．更に、１価アルコール、多価アルコール、イソパラフィン、及びグリコールエーテルよりなる群から選択される少なくとも１種の有機溶剤を含む、項１〜７のいずれかに記載の芳香剤組成物。
【発明の効果】
【００１３】
本発明の芳香剤組成物によれば、光暴露による色素の退色が抑制され、長期に亘って使用しても使用開始時と同様の鮮やかな色調を維持することができる。そのため、本発明の液体芳香剤組成物は、透明部分を有する容器に充填して使用した場合であっても、所望の色調が維持することができ、優れた意匠的効果を持続させることができる。更に、本発明の芳香剤組成物は、抗酸化剤や紫外線吸収剤を添加せずとも、光暴露による色素の退色を抑制できるので、配合する成分の制約が少なく、消費者ニーズに応じた様々なバリエーションの芳香剤組成物を提供し易くすることもできる。
【発明を実施するための形態】
【００１４】
本発明の芳香剤組成物は、窒素原子を有するアントラキノン系色素成分（以下、（Ａ）成分と表記することもある）、及びヘテロ原子が単結合したベンジル位を有する香料成分（以下、（Ｂ）成分と表記することもある）を含有し、当該（Ａ）成分１モル当たり、当該（Ｂ）成分が１〜６００モル含まれることを特徴とする。以下、本発明の芳香剤組成物について詳述する。
【００１５】
（Ａ）窒素原子を有するアントラキノン系色素成分
本発明の芳香剤組成物では、１分子当たり窒素原子を少なくとも１つ有するアントラキノン系色素成分が含まれる。前記アントラキノン系色素成分は、１分子当たり窒素原子を１つ又は２つ有することが好ましい。
【００１６】
本発明で使用されるアントラキノン系色素成分において、窒素原子は、１級アミン、２級アミン、又は３級アミンのいずれの形態で存在していてもよいが、１級アミン又は２級アミンの形態で存在することが好ましい。
【００１７】
本発明で使用されるアントラキノン系色素成分において、窒素原子の構造として、具体的には、アミノ基（１級アミン）；Ｃ1〜4アルキルフェニルアミノ基、Ｃ1〜4アルコキシフェニルアミノ基、フェニルアミノ基、Ｃ1〜4アルキルアミノ基等の２級アミン；ジＣ1〜4アルキルアミノ基、Ｎ−Ｃ1〜4アルキル−Ｎ’−フェニルアミノ基等の３級アミン等が挙げられる。アントラキノン系色素成分が含まれる窒素原子は、互いに同一の構造であってもよく、また互いに異なる構造であってもよい。なお、これらの基の具体例については、後述する通りである。
【００１８】
また、本発明で使用されるアントラキノン系色素成分の具体的構造については、アントラキノン骨格を有し、且つ１分子当たり少なくとも１つの窒素原子を有していることを限度として特に制限されないが、例えば下記一般式（Ａ１）に示す化合物が挙げられる。
【００１９】
【化３】
2018108192.tif 000004
【００２０】
前記Ｃ1〜4アルキルフェニルアミノ基としては、具体的には、メチルフェニルアミノ基、エチルフェニルアミノ基、ｎプロピルフェニルアミノ基、イソプロピルフェニルアミノ基、ｎブチルフェニルアミノ基、ｓｅｃブチルフェニルアミノ基、イソブチルフェニルアミノ基、ｔｅｒｔブチルフェニルアミノ基等が挙げられる。
【００２１】
前記Ｃ1〜4アルコキシフェニルアミノ基としては、具体的には、メトキシフェニルアミノ基、エトキシフェニルアミノ基、ｎプロポキシフェニルアミノ基、イソププロポキフェニル基、ｎブトキシフェニルアミノ基、ｓｅｃブトキシフェニルアミノ基、イソブトキシフェニルアミノ基、ｔｅｒｔブトキシフェニルアミノ基等が挙げられる。
【００２２】
前記Ｃ1〜4アルキルアミノ基としては、具体的には、メチルアミノ基、エチルアミノ基、ｎプロピルアミノ基、イソプロピルフェニルアミノ基、ｎブチルアミノ基、ｓｅｃブチルアミノ基、イソブチルアミノ基、ｔｅｒｔブチルアミノ基等が挙げられる。
【００２３】
前記ジＣ1〜4アルキルアミノ基、としては、具体的には、ジメチルアミノ基、ジエチルアミノ基、ジｎプロピルアミノ基、ジイソプロピルアミノ基、ジｎブチルアミノ基、ジｓｅｃブチルアミノ基、ジイソブチルアミノ基、ジｔｅｒｔブチルアミノ基等が挙げられる。
【００２４】
前記Ｎ−Ｃ1〜4アルキル−Ｎ’−フェニルアミノ基としては、具体的には、Ｎ−メチル−Ｎ’−フェニルアミノ基、Ｎ−エチル−Ｎ’−フェニルアミノ基、Ｎ−ｎ−プロピル−Ｎ’−フェニルアミノ基、Ｎ−イソプロピル−Ｎ’−フェニルアミノ基、Ｎ−ｎブチル−Ｎ’−フェニルアミノ基、Ｎ−ｓｅｃブチル−Ｎ’−フェニルアミノ基、Ｎ−イソブチル−Ｎ’−フェニルアミノ基、Ｎ−ｔｅｒｔイソブチル−Ｎ’−フェニルアミノ基等が挙げられる。
【００２５】
前記−ＳＯ3ＮＲa9Ｒa10Ｒa11Ｒa12基におけるＣ1〜10の置換若しくは非置換、飽和若しくは不飽和の脂肪族炭化水素基としては、具体的には、メチル基、エチル基、ｎプロピル基、イソプロピル基、ｎブチル基、イソブチル基、ｓｅｃブチル基、ｔｅｒｔブチル基、ペンチル基、ヘキシル基、オクチル基、２−エチルヘキシル基、ノニル基、デシル基等の直鎖状又は分岐状のアルキル基；メトキシエチル基、エトキシエチル基、メトキシプロピル基、アミノエチル基、クロロエチル基、ヒドロキシエチル等の置換アルキル基；プロペニル基、ブテニル基、ペンテニル基、ヘキセニル基等のアルケニル基等が挙げられる。また、前記−ＳＯ3ＮＲa9Ｒa10Ｒa11Ｒa12基におけるＣ6〜10の置換若しくは非置換芳香族炭化水素基としては、フェニル基、メチルフェニル基、エチルフェニル基、ヒドロキシフェニル基、クロロフェニル基、ニトロフェニル基、ナフチル基等が挙げられる。
【００２６】
これらの窒素原子含有基の中でも、より効果的に光暴露による色素の退色を抑制するという観点から、好ましくは、アミノ基、Ｃ1〜4アルキルフェニルアミノ基、Ｃ1〜4アルコキシフェニルアミノ基、フェニルアミノ基、Ｃ1〜4アルキルアミノ基が挙げられ、より好ましくは、Ｃ1〜4アルキルフェニルアミノ基、Ｃ1〜4アルコキシフェニルアミノ基、フェニルアミノ基、Ｃ1〜4アルキルアミノ基が挙げられる。
【００２７】
また、前記一般式（Ａ１）において、２つ以上の窒素原子含有基を有する場合、それらの窒素原子含有基は、同一であっても異なっていてもよい。
【００２８】
前記一般式（Ａ１）において、窒素原子含有基は、Ｒa1、Ｒa2、Ｒa3、Ｒa4、Ｒa5、Ｒa6、Ｒa7及びＲa8の内、任意に選ばれる少なくとも１つ以上の基であればよいが、より効果的に光暴露による色素の退色を抑制するという観点から、Ｒa4の１つの基、又はＲa1とＲa4の２つの基が窒素原子含有基であることが好ましい。前記一般式（Ａ１）に示す化合物の好適な態様として、窒素原子含有基を１つ有する場合、Ｒa4が、アミノ基又はＣ1〜4アルキルアミノ基である化合物が挙げられる。また、前記一般式（Ａ１）に示す化合物の好適な態様として、窒素原子含有基を２つ有する場合、Ｒa1とＲa4がＣ1〜4アルキルフェニルアミノ基、Ｃ1〜4アルコキシフェニルアミノ基又はフェニルアミノ基である化合物；Ｒa1とＲa5がＣ1〜4アルキルフェニルアミノ基、Ｃ1〜4アルコキシフェニルアミノ基又はフェニルアミノ基である化合物；及びＲa1とＲa4がＣ1〜4アルキルアミノ基である化合物が挙げられる。
【００２９】
また、前記一般式（Ａ１）において、Ｒa1、Ｒa2、Ｒa3、Ｒa4、Ｒa5、Ｒa6、Ｒa7及びＲa8の内、１〜７つの基は、同一又は異なって、水素原子、水酸基、ハロゲン原子、アルコキシ基又は−ＳＯ3Ｍ（以下、これらの基を非窒素原子含有基と表記することもある）である。ここで、Ｍは水素原子またはアルカリ金属原子（Ｎａ、Ｋ等）を示す。
【００３０】
前記ハロゲン原子としては、具体的には、フッ素原子、塩素原子、臭素原子、ヨウ素原子が挙げられる。
【００３１】
前記アルコキシ基としては、具体的には、メトキシ基、エトキシ基、プロポキシ基、ブトキシ基、ペンチルオキシ基、シクロヘキシルオキシ基、フェノキシ基が挙げられる。
【００３２】
前記一般式（Ａ１）において、非窒素原子含有基は、Ｒa1、Ｒa2、Ｒa3、Ｒa4、Ｒa5、Ｒa6、Ｒa7及びＲa8の中から任意の１〜７つであればよいが、より効果的に光暴露による色素の退色を抑制するという観点から、Ｒa1、Ｒa2、Ｒa3、Ｒa5、Ｒa6、Ｒa7及びＲa8の７つの基、又はＲa2、Ｒa3、Ｒa5、Ｒa6、Ｒa7及びＲa8の６つの基が非窒素原子含有基であることが好ましい。
【００３３】
前記一般式（Ａ１）に示す化合物として、１つの窒素原子含有基を有する場合、好ましくは、Ｒa4が窒素原子含有基であり、且つＲa1、Ｒa2、Ｒa3、Ｒa5、Ｒa6、Ｒa7、及びＲａ8が、同一もしくは異なって、水素原子、水酸基、又はアルコキシ基である化合物；より好ましくは、Ｒa4が窒素原子含有基であり、且つＲa1、Ｒa2、Ｒa3、Ｒa5、Ｒa6、Ｒa7、及びＲａ8が水素原子である化合物、又は、Ｒa4が窒素原子含有基であり、且つＲa1、Ｒa2、Ｒa3、Ｒa5、Ｒa6、Ｒa7、及びＲａ8が、同一もしくは異なって、水素原子、水酸基、又はアルコキシ基である化合物；更に好ましくは、Ｒa4がＣ1〜4アルキルアミノ基であり、且つＲa1、Ｒa2、Ｒa3、Ｒa5、Ｒa6、Ｒa7、及びＲａ8が水素原子である化合物、又は、Ｒa4がアミノ基であり、且つＲa1が水酸基であり、Ｒa3がフェノキシ基であり、Ｒa2、Ｒa5、Ｒa6、Ｒa7、及びＲa8が水素原子である化合物が挙げられる。
【００３４】
前記一般式（Ａ１）に示す化合物として、２つの窒素原子含有基を有する場合、好ましくは、Ｒa1とＲa4が窒素原子含有基であり、Ｒa2、Ｒa3、Ｒa5、Ｒa6、Ｒa7、及びＲa8が同一又は異なって水素原子又は水酸基である化合物；更に好ましくＲa1とＲa4がＣ1〜4アルキルフェニルアミノ基、Ｃ1〜4アルコキシフェニルアミノ基、又はフェニルアミノ基であり、Ｒa5及びＲa8が水酸基であり、且つＲa2、Ｒa3、Ｒa6、及びＲa7が水素原子である化合物、並びにＲa1とＲa4がＣ1〜4アルキルアミノ基であり、Ｒa2、Ｒa3、Ｒa5、Ｒa6、Ｒa7、及びＲa8が水素原子である化合物が挙げられる。
【００３５】
１分子当たり１つの窒素原子を有するアントラキノン系色素成分については、市販されており、本発明の芳香剤組成物では、当該アントラキノン系色素として市販品を使用してもよい。このような市販品としては、具体的には、赤色色素として、商品名「ｋａｙａｓｅｔ  Ｒｅｄ  Ｂ」（日本化薬株式会社製：前記一般式（Ａ１）において、Ｒa4がアミノ基であり、Ｒa1が水酸基であり、Ｒa3がフェノキシ基であり、Ｒa2、Ｒa5、Ｒa6、Ｒa7、及びＲa8が水素原子である化合物）、橙色色素として、商品名「Ｏｉｌ  Ｒｅｄ  ３３０」（オリエント化学工業株式会社製；前記一般式（Ａ１）において、Ｒa4がメチルアミノ基であり、Ｒa1、Ｒa2、Ｒa3、Ｒa5、Ｒa6、Ｒa7、及びＲa8が水素原子である化合物）等が挙げられる。
【００３６】
１分子当たり２つの窒素原子を有するアントラキノン系色素成分については、市販されており、本発明の芳香剤組成物では、当該アントラキノン系色素成分として市販品を使用してもよい。このような市販品としては、具体的には、緑色色素として、商品名「ｋａｙａｓｅｔ  Ｇｒｅｅｎ  Ａ−Ｇ」（日本化薬株式会社製；前記一般式（Ａ１）において、Ｒa1とＲa4が（４−ｔｅｒｔ−ブチルフェニル）アミノ基であり、Ｒa5及びＲa8が水酸基であり、且つＲa2、Ｒa3、Ｒa6、及びＲa7が水素原子である化合物）等が挙げられ、また青色色素として、商品名「ｋａｙａｓｅｔ  Ｂｌｕｅ  Ｎ」（日本化薬株式会社製；前記一般式（Ａ１）において、Ｒa1とＲa4がｎブチルアミノ基であり、Ｒa2、Ｒa3、Ｒa5、Ｒa6、Ｒa7、及びＲa8が水素原子である化合物）、商品名「ｋａｙａｓｅｔ  Ｂｌｕｅ  ＦＲ」（日本化薬株式会社製；前記一般式（Ａ１）において、Ｒa1とＲa4がエチルアミノ基であり、Ｒa2、Ｒa3、Ｒa5、Ｒa6、Ｒa7、及びＲa8が水素原子である化合物）等が挙げられる。
【００３７】
本発明の芳香剤組成物において、これらの窒素原子を有するアントラキノン系色素成分は、１種単独で使用してもよく、また２種以上を組み合わせて使用してもよい。
【００３８】
本発明の芳香剤組成物における（Ａ）成分の含有量については、後述する（Ａ）成分と（Ｂ）成分の比率を充足させる範囲内になることを限度として、使用する（Ａ）成分の種類や付与すべき色調等に応じて適宜設定すればよいが、例えば０．０１ｐｐｍ〜０．１重量％、好ましくは０．０１ｐｐｍ〜０．０１重量％、更に好ましくは０．０１ｐｐｍ〜０．００１重量％が挙げられる。
【００３９】
（Ｂ）ヘテロ原子が単結合したベンジル位を有する香料成分
本発明の芳香剤組成物では、ヘテロ原子が単結合したベンジル位を有する香料成分が含まれる。前記ヘテロ原子が単結合したベンジル位を有する香料成分とは、ヘテロ原子が単結合したベンジル位を有する構造を有し、揮発して香気を呈する化合物である。なお、本発明において、（Ｂ）成分には、ベンジル位にヘテロ原子が単結合したものであっても、当該ベンジル位に更にヘテロ原子が二重結合した構造を有する香料成分は含まれない。
【００４０】
ヘテロ原子としては、特に限定されず、酸素、硫黄、窒素、リン等が挙げられるが、なかでも、酸素原子が好ましい。
【００４１】
（Ｂ）成分としては、好ましくは、下記一般式（ＡＯ）に示す化合物が挙げられる。
【化４】
2018108192.tif 000005
【００４２】
Ｃ1〜6アルキル基としては、メチル基、エチル基、プロピル基、イソプロピル基、ブチル基、ｎ−ブチル基、イソブチル基、ｓｅｃブチル基、ｔｅｒｔブチル基、イソペンチル基、ネオペンチル基、ヘキシル基等の直鎖状又は分岐状のアルキル基が挙げられる。
【００４３】
アルキルフェニル基としては、例えば、メチルフェニル基、エチルフェニル基、ｎプロピルフェニル基、イソプロピルフェニル基、ｎブチルフェニル基、ｓｅｃブチルフェニル基、イソブチルフェニル基、ｔｅｒｔブチルフェニル基、イソペンチルフェニル基、ｔｅｒｔペンチルフェニル基等が挙げられる。
【００４４】
アルケニル基としては、例えば、ビニル基、プロペニル基、ブテニル基、ペンテニル基、ヘキセニル基、ヘプテニル基、オクテニル基、ノネニル基、デセニル基等が挙げられる。
【００４５】
一般式（ＡＯ）において、好ましくは、Ｒb1は水素原子、−ＣＯＲb2、アルキルフェニル基を示し、ここでＲb2はＣ1〜6アルキル基、アルケニル基又はフェニル基を示し、より好ましくは、Ｒb1は水素原子又は−ＣＯＲb2を示し、ここでＲb2はフェニル基を示す。
【００４６】
本発明で使用される（Ｂ）成分の種類については、前記一般式（ＡＯ）に示す構造を有し、揮発して香気を呈する化合物である限り特に制限されず、付与すべき香調等に応じて適宜選択すればよい。これらの（Ｂ）成分の中でも、より効果的に光暴露による色素の退色を抑制するという観点から、好ましくはベンジルベンゾエート、ベンジルアルコールが挙げられる。
【００４７】
本発明の芳香剤組成物において、（Ｂ）成分は１種単独で使用してもよく、また２種以上を組み合わせて使用してもよい。
【００４８】
本発明の芳香剤組成物における（Ｂ）成分の含有量については、後述する（Ａ）成分と（Ｂ）成分の比率を充足させる範囲内になることを限度として、使用する（Ａ）成分の種類や付与すべき色調等に応じて適宜設定すればよいが、例えば０．０１ｐｐｍ〜１重量％、好ましくは０．０１ｐｐｍ〜０．１重量％、更に好ましくは０．０１ｐｐｍ〜０．０１重量％が挙げられる。
【００４９】
（Ａ）成分と（Ｂ）成分の比率
本発明の芳香剤組成物において、（Ａ）成分と（Ｂ）成分の比率は、（Ａ）成分１モル当たり、（Ｂ）成分が１〜６００モルを満たすように設定される。このような比率を満たすことによって、（Ａ）成分と（Ｂ）成分が共存しても、（Ａ）成分の光暴露による退色を抑制することが可能になる。
【００５０】
より一層効果的に（Ａ）成分の光暴露による退色を抑制するという観点から、（Ａ）成分と（Ｂ）成分の比率として、（Ａ）成分１モル当たり、（Ｂ）成分が好ましくは１〜３００モル、より好ましくは１〜３０モル、更に好ましくは１〜３モルが挙げられる。
【００５１】
その他の香料
本発明の芳香剤組成物は、所望の香気を呈するように調香するために、必要に応じて、（Ｂ）成分以外の香料成分が含まれていてもよい。このような香料成分の種類については、特に制限されないが、例えば、炭化水素系香料成分、エーテル系香料成分、エステル系香料成分、アルコール系香料成分、ケトン系香料成分、ラクトン系香料成分、アセタール系香料成分、ムスク系香料成分、ニトリル系香料成分、精油等が挙げられる。
【００５２】
炭化水素系香料成分としては、具体的には、リモネン、α−ピネン、カンフェン、ｐ−サイメン、フェンチェン等が挙げられる。
【００５３】
エーテル系香料成分としては、具体的には、１，８−シネオール、ローズオキサイド、セドロールメチルエーテル（セドランバー）、ｐ−クレジルメチルエーテル、イソアミルフエェニルエチルエーテル、４−フェニル−２，４，６−トリメチル−１，３−ジオキサン（フロロパール）、アネトール、オキサン等が挙げられる。
【００５４】
エステル系香料成分としては、具体的には、エチルアセテート、エチルプロピオネート、メチルブチレート、エチルイソブチレート、エチルブチレート、ブチルアセテート、エチル２−メチルブチレート、イソアミルアセテート、エチル２−メチルペンタノエート（マンザネート）、ヘキシルアセテート、アリルヘキサノエート、トリシクロデセニルプロピオネート、アリルヘプタノエート、イソボルニルアセテート、スチラリルアセテート、リナリルアセテート、シトロネリルアセテート、２−ｔｅｒｔ−ブチルシクロヘキシルアセテート（ナルシドール）等が挙げられる。
【００５５】
アルコール系香料成分としては、具体的には、リナロール、３−オクタノール、２，６−ジメチル−ヘプタノール、１０−ウンデセノール、ゲラニオール、ネロール、シトロネロール、ロジノール、ミルセノール、テトラヒドロリナロール、ターピネオール、セドロール、２，４−ジメチル−３−シクロヘキサン−１−メタノール、４−イソプロピルシクロヘキサノール、ネロリドール、９−デセノール、シス−３−ヘキセノール、トランス−２−ヘキセノール、オイゲノール等が挙げられる。
【００５６】
ケトン系香料成分としては、具体的には、カンファー、メントン、ダイナスコン、メチルイオノンガンマ、トリモフィクス、アセトフェノン、β−イオノン、セドリルメチルケトン、マルトール、メチルアミルケトン、アミルシクロペンタノン、ヘプチルシクロペンタノン、４−シクロヘキシル−４−メチル−２−ペンタノン、ジヒドロペンタメチルインダノン、コアボン、４−フェニル−４−メチル−２−ペンタノン、メチルナフチルケトン等が挙げられる。
【００５７】
ラクトン系香料成分としては、具体的には、クマリン、ガラクソリド、ジヒドロクマリン、ウンデカラクトン、ドデカラクトン、シスジャスモラクトン、メチル−γ−デカラクトン、トリデカラクトン、テトラデカラクトン、α−ヘプチル−γ−バレロラクトン、ヘキサデカラクトン、シクロペンタデカノリド、１２−ケトシクロペンタデカノリド、シクロヘキサデカノリド、エチレンブラシレート、シクロヘキサデセノリド、エチレンドデカンジオエート等が挙げられる。
【００５８】
アセタール系香料成分としては、具体的には、シトラールジメチルアセタール、アセトアルデヒドエチルフェニルアセタール、アセトアルデヒドフェニルエチルプロピルアセタール、ヒドラトロピックアルデヒドジメチルアセタール、フェニルアセトアルデヒドヒドグリセリルアセタール、フェニルプロピルアルデヒドプロピレングリコールアセタール、テトラヒドロインデノ−ｍ−ジオキシン、オクチルアルデヒドグリコールアセタール、アセトアルデヒドエチルシス−３−ヘキセニルアセタール、シトラールジエチルアセタール、アセトアルデヒドエチルリナリルアセタール、アセトアルデヒドエチルリナリルアセタール、ヒドロキシシトロネラールジメチルアセタール、フェニルアセトアルデヒドジメチルアセタール、ジメチルテトラヒドロインデノ−ｍ−ジオキシン、カラナール等が挙げられる。
【００５９】
ムスク系香料成分としては、具体的には、ムスクチベテン、ムスクモスケン、ムスクキシロール、ムスクアンブレット、６−アセチルヘキサメチルインダン、４−アセチルジメチル−ｔ−ブチルインダン、５−アセチルテトラメチルイソプロプルインダン、６−アセチルヘキサテトラリン等が挙げられる。
【００６０】
ニトリル系香料成分としては、具体的には、ゲラニルニトリル、ドデカンニトリル、シトロネリルニトリル、シナモンニトリル、クミンニトリル、トリデセン−２−ニトリル、５−フェニル−２，６−ノナジエンニトリル等が挙げられる。
【００６１】
精油としては、具体的には、ペパーミント油、ペリラ油、プチグレン油、パイン油、ローズ油、ローズマリー油、しょう脳油、芳油、クラリーセージ油、サンダルウッド油、スペアミント油、スパイクラベンダー油、スターアニス油、ラバンジン油、ラベンダー油、レモン油、レモングラス油、ライム油、ネロリ油、オークモス油、オコチア油、パチュリ油、タイム油、トンカ豆チンキ、テレピン油、バジル油、ナツメグ油、シトロネラ油、クローブ油、ボアドローズ油、カナンガ油、カルダモン油、カシア油、シダーウッド油、オレンジ油、マンダリン油、タンジェリン油、アニス油、ベイ油、コリアンダー油、エレミ油、ユーカリ油、フェンネル油、ガルバナム油、ゼラニウム油、ヒバ油、桧油、ジャスミン油、ベチバー油、ベルガモット油、イランイラン油、グレープフルーツ油、ゆず油、チュベローズ油等が挙げられる。
【００６２】
これらの香料成分は、１種単独で使用してもよく、また２種以上を組み合わせて使用してもよい。
【００６３】
本発明の芳香剤組成物において、（Ｂ）成分と共に、これらの香料成分を使用して調香する場合、目的の香気を呈し得るように使用する香料成分を適宜選定すればよいが、嗜好性が高い香気になるように調香するという観点から、（Ｂ）成分と共に、ベンジルアセテート、リナロール、リナリルアセテート、リリアール、ガラクソリド、エチレンブラシレート、サイクロペンタデカノライド、サイクロペンタデセノライド、及び５−シクロヘキサデセン−１−オンよりなる群から選択される少なくとも１種の香料成分を使用することが好ましい。より具体的には、フローラル調の香気を呈するように調香するのであれば、前記（Ｂ）成分としてベンジルアルコールを使用し、更にベンジルアセテート、リナロール、リナリルアセテート、及びリリアールよりなる群から選択される少なくとも１種を組み合わせればよい。また、例えば、バルサミック調の香気を呈するように調香するのであれば、前記（Ｂ）成分としてベンジルベンゾエートを使用し、更にガラクソリド、エチレンブラシレート、サイクロペンタデカノライド、サイクロペンタデセノライド、及び５−シクロヘキサデセン−１−オンよりなる群から選択される少なくとも１種を組み合わせればよい。
【００６４】
本発明の芳香剤組成物において、（Ｂ）成分以外の香料成分の含有量については、特に制限されず、使用する香料成分の種類、付与すべき香気等に応じて適宜設定すればよいが、例えば０〜９９重量％、好ましくは０．０１ｐｐｍ〜４０重量％、更に好ましくは０．０１ｐｐｍ〜１０重量％が挙げられる。
【００６５】
溶剤
本発明の芳香剤組成物は、（Ａ）成分及び（Ｂ）成分を溶解又は分散させるための有機溶剤が含まれる。
【００６６】
本発明に使用される有機溶剤の種類については、特に制限されず、芳香剤の溶剤として従来使用されているものから適宜選択して用いることができるが、例えば、メタノール、エタノール、プロパノール、イソプロパノール、ブタノール、イソブタノール、ｓｅｃ−ブタノール、ｔ−ブタノール、ペンタノール、ヘキサノール、シクロヘキサノール、ベンジルアルコール等の１価アルコール；エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等の多価アルコール；エチレングリコールモノメチルエーテル、エチレングリコールモノエチルエーテル、エチレングリコールものブチルエーテル、ジエチレングリコールモノメチルエーテル、ジエチレングリコールモノブチルエーテル、プロピレングリコールモノメチルエーテル、プロピレングリコールモノブチルエーテル、ジプロピレングリコールモノメチルエーテル、トリエチレングリコールモノメチルエーテル、エチレングリコールモノメチルエーテルアセテートトリエチレングリコールモノエチルエーテル、エチレングリコールモノフェニルエーテル等のグリコールエーテル；エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレントリアミン、トリエチレンテトラミン、ポリエチレンイミン、テトラメチルプロピレンジアミン等のアミン；ホルムアミド、Ｎ，Ｎ−ジメチルホルムアミド、Ｎ，Ｎ−ジメチルアセトアミド、ジメチルスルホキシド、スルホラン、２−ピロリドン、Ｎ−メチル−２−ピロリドン、Ｎ−ビニル−２−ピロリドン、２−オキサゾリドン、１，３−ジメチル−２−イミダゾリジノン、アセトニトリル、アセトン等が挙げられる。また、イソパラフィンを使用することもできる。イソパラフィンとして好ましくは沸点が１００〜３００℃、好ましくは１５０〜２５０℃のものを挙げることができる。
【００６７】
これらの有機溶剤の中でも、好ましくは１価アルコール、多価アルコール、イソパラフィン、グリコールエーテル、更に好ましくはイソパラフィンが挙げられる。
【００６８】
これらの有機溶剤は１種単独で使用してもよく、また２種以上を組み合わせて使用してもよい。
【００６９】
本発明の芳香剤組成物において、有機溶剤の含有量については、特に制限されないが、例えば９０重量％以下、好ましくは６０〜９０重量％、更に好ましくは８０〜９０重量％が挙げられる。
【００７０】
その他の成分
更に、本発明の芳香剤組成物には、前述する成分の他に、必要に応じて、増粘剤、酸化防止剤、紫外線吸収剤、溶解剤、ｐＨ調整剤、（Ａ）成分以外の着色剤、消臭剤、キレート剤等が含まれていてもよい。
【００７１】
形態・使用態様
本発明の芳香剤組成物の形態については、特に制限されず、例えば、液状、ゲル状が挙げられる。本発明の芳香剤組成物の形態として、好ましくは液状である。
【００７２】
本発明の芳香剤組成物は、居室、トイレ、車内等に設置して、空間の香気の付与のために使用される。
【００７３】
本発明の芳香剤組成物が液状の場合であれば、本発明の芳香剤組成物を揮散させる好適な一態様として、不織布、木質材料、スポンジ等の揮散部材を介して揮散させる揮散器を使用する方法が挙げられる。当該揮散器として、具体的には、開口部を有する液体容器と、木質材料からなる揮散部材と、当該液体容器に収容された本発明の芳香剤組成物とを含んで構成され、当該揮散部材の少なくとも一部が本発明の芳香剤組成物に浸漬され、且つ当該揮散部材の少なくとも一部が当該開口部から空気中に露出可能に設置されているものが例示される。このような揮散器を使用することにより、揮散部材によって本発明の液体芳香剤組成物の吸い上げと揮散が行われ、効率的に空間に香気を揮散させることができる。
【００７４】
また、本発明の芳香剤組成物は、光暴露による色素の退色が抑制されているので、内部を視認可能な透明容器に収容して使用することもできる。このような透明容器に収容することにより、芳香剤組成物の色調による意匠的効果が奏され、更に使用中の残量を確認することも可能になる。なお、前記透明容器は、少なくとも一部の壁面領域が内部を視認できる程度の透明性を備えるものであればよく、必ずしも全壁面領域が内部を視認できる程度の透明性を備えていなくてもよい。
【実施例】
【００７５】
以下に実施例を示して本発明を更に詳細に説明するが、本発明はこれらの実施例に限定されて解釈されるものではない。
【００７６】
試験例１
１．芳香剤組成物の調製
表１に示す各色素成分及び表２に示す組成の香料組成物を用いて、表３に示す組成の芳香剤組成物を調製した。なお、表３において、香料組成物４を用いた場合のみ、イソパラフィン系溶剤の代わりに９９度合成エタノールを用いて同様に調製した。
【００７７】
【表１】
2018108192.tif 000006
【００７８】
【表２】
2018108192.tif 000007
【００７９】
【表３】
2018108192.tif 000008
【００８０】
各芳香剤組成物をガラス製の透明容器に充填して密封し、昼間には太陽光が当たる室内に１週間保存した。保存１週間後に、各芳香剤組成物の色調を目視により観察し、保存前後の色調変化を評価した。得られた結果を表４〜７に示す。窒素原子を有するアントラキノン系色素成分は、共通して、芳香族アルコール系香料成分を含む香料組成物、又はエステル系香料成分を含む香料組成物と、光暴露環境下での保存後に退色して色調が変化していた（表４〜７参照）。これらの結果から、窒素原子を有するアントラキノン系色素成分は、芳香族アルコール系香料成分、又はエステル系香料成分と共存させると、光暴露による退色という問題が生じることが確認された。
【００８１】
【表４】
2018108192.tif 000009
【００８２】
【表５】
2018108192.tif 000010
【表６】
2018108192.tif 000011
【００８３】
【表７】
2018108192.tif 000012
【００８４】
試験例２
１．芳香剤組成物の調製
表８に示す組成の芳香剤組成物を調製した。
【００８５】
【表８】
2018108192.tif 000013
【００８６】
２．芳香剤組成物の光暴露に対する安定性の評価
各芳香剤組成物をガラス製の透明容器に充填して密封し、昼間には太陽光が当たる室内に４週間保存した。保存１週間後及び４週間後に、各芳香剤組成物の色調を目視により観察し、保存前後の色調変化を評価した。得られた結果を表９に示す。単一香料成分を使用した結果からは、窒素原子を有するアントラキノン系色素成分は、エステル系香料成分、芳香族アルコール系香料成分がいずれも、ヘテロ原子が単結合したベンジル位を有する香料成分である場合に、これらと共存させると、光暴露環境下での保存後に退色して色調が変化していた（表９参照）。一方、エステル系香料成分、又は芳香族アルコール系香料成分であっても、ヘテロ原子が単結合したベンジル位を有する香料成分でない場合は、窒素原子を有するアントラキノン系色素成分と共存しても、光暴露環境下での保存後の色調変化の問題はさほど生じなかった。また、ベンジル位にヘテロ原子が単結合したものであっても、当該ベンジル位に更にヘテロ原子が二重結合した構造を有する香料成分は、窒素原子を有するアントラキノン系色素成分と共存しても、光暴露環境下での保存後の色調変化の問題は生じなかった。以上の結果から、窒素原子を有するアントラキノン系色素成分は、ヘテロ原子が単結合したベンジル位を有する香料成分と共存させると、当該ベンジル位に更にヘテロ原子が二重結合した構造を有さない場合は、光暴露環境下での保存後に退色して色調の変化が生じることが確認された。
【００８７】
【表９】
2018108192.tif 000014
【００８８】
試験例３
１．芳香剤組成物の調製
表１０、１１に示す組成の芳香剤組成物を調製した。
【００８９】
【表１０】
2018108192.tif 000015
【００９０】
【表１１】
2018108192.tif 000016
【００９１】
２．芳香剤組成物の光暴露に対する安定性の評価
各芳香剤組成物をガラス製の透明容器に充填して密封し、昼間には太陽光が当たる室内に４週間保存した。保存１週間後、２週間後及び４週間後に、各芳香剤組成物の色調を目視により観察し、保存前後の色調変化を評価した。得られた結果を表１２〜２７に示す。
【００９２】
窒素原子を有するアントラキノン系色素成分と、ヘテロ原子が単結合したベンジル位を有する香料成分のモル比を１：１〜６００の範囲内に設定することにより、光暴露の環境下で保存しても、退色を抑制できることが確認された。特に、当該モル比を１：１〜６０の範囲内に設定することにより、退色をより一層効果的に抑制できることも確認された。
【００９３】
【表１２】
2018108192.tif 000017
【００９４】
【表１３】
2018108192.tif 000018
【００９５】
【表１４】
2018108192.tif 000019
【００９６】
【表１５】
2018108192.tif 000020
【００９７】
【表１６】
2018108192.tif 000021
【００９８】
【表１７】
2018108192.tif 000022
【００９９】
【表１８】
2018108192.tif 000023
【０１００】
【表１９】
2018108192.tif 000024
【０１０１】
【表２０】
2018108192.tif 000025
【０１０２】
【表２１】
2018108192.tif 000026
【０１０３】
【表２２】
2018108192.tif 000027
【０１０４】
【表２３】
2018108192.tif 000028
【０１０５】
【表２４】
2018108192.tif 000029
【０１０６】
【表２５】
2018108192.tif 000030
【０１０７】
【表２６】
2018108192.tif 000031
【０１０８】
【表２７】
2018108192.tif 000032